(57)【特許請求の範囲】
【請求項１】
電気部品が載置されるソケット本体と、該ソケット本体に取り付けられたコンタクトピンとを有し、該コンタクトピンには、前記電気部品の端子に離接する可動側接触部を有する可動接片と、前記電気部品の端子に離接する固定側接触部を有する固定接片とが形成された電気部品用ソケットにおいて、
前記固定接片における前記固定側接触部には、前記電気部品が載置されていない状態で、前記可動側接触部が着座する着座部が設けられ、該着座部には、略水平に形成された平面部と、該平面部の一部に形成され、前記可動側接触部の摺動方向に沿う略鉛直断面が上方に凸となる曲部とが形成され、該曲部に沿って前記可動側接触部が摺動するように構成され、前記固定側接触部の前記着座部と前記可動側接触部とが接触した状態において、前記着座部の摺動開始位置及び摺動終了位置における前記着座部と前記可動側接触部との接触箇所の高さ方向位置は、前記固定接片の前記平面部の高さ方向位置以上となるように形成したことを特徴とする電気部品用ソケット。
【請求項２】
前記コンタクトピンは、前記電気部品の端子の上面に離接する可動側接触部を有する前記可動接片と、前記端子の下面に接触する固定側接触部を有する固定接片とを備え、前記固定側接触部の上面部が前記着座部であることを特徴とする請求項１記載の電気部品用ソケット。
【請求項３】
前記曲部は、前記可動側接触部の摺動方向に沿う略鉛直断面が略円弧形状を呈していることを特徴とする請求項１又は２記載の電気部品用ソケット。
【請求項４】
前記曲部は、前記可動側接触部の摺動方向に沿う略鉛直断面が略三角形状を呈していることを特徴とする請求項１又は２記載の電気部品用ソケット。
【発明の詳細な説明】
【０００１】
【発明の属する技術分野】
この発明は、半導体装置（以下「ＩＣパッケージ」という）等の電気部品を着脱自在に保持する電気部品用ソケット、特に、その電気部品の端子に離接するコンタクトピンのワイピング効果の向上を図るための改良がなされた電気部品用ソケットに関するものである。
【０００２】
【従来の技術】
従来からこの種の「電気部品用ソケット」としては、「電気部品」であるＩＣパッケージを着脱自在に保持するＩＣソケットがある。
【０００３】
このＩＣパッケージは、いわゆるガルウイングタイプと称されるもので、略直方体形状のパッケージ本体の相対向する２辺から側方に向けて「端子」である複数のＩＣリードがクランク状に突出している。
【０００４】
一方、ＩＣソケットは、図１１にその一部を示すように、ソケット本体１に、ＩＣパッケージを載置する載置部１ａが形成されると共に、ＩＣパッケージのＩＣリードに接触されるコンタクトピン２が複数配設されている。このコンタクトピン２は可動接片３及び固定接片４を有し、この可動接片３には、前記ＩＣリードの上面に離接される可動側接触部３ａが形成されると共に、固定接片４には、前記ＩＣリードの下面に接触される固定側接触部４ａが形成されている。
【０００５】
さらに、ソケット本体１には、図示していないが、上部操作部材が上下動自在に配設され、この上部操作部材をコンタクトピン２の可動接片３の付勢力等に抗して下降させることにより、この上部操作部材のカム部にて、コンタクトピン２の可動接片３の図示省略の操作片が外側に向けて押圧される。これにより、このコンタクトピン２の可動接片３の図示省略のバネ部が弾性変形されて前記ＩＣリードから可動側接触部３ａが離間され、又、この上部操作部材が上昇されることにより、そのバネ部の弾性力にて可動側接触部３ａが復帰して前記ＩＣリードの上面に接触してこれを上方から押さえ、固定側接触部４ａとでこのＩＣリードを狭持され、コンタクトピン２とＩＣリードとが導通されるようになっている。
【０００６】
一方、ＩＣパッケージが載置されていない状態では、図１１に示すように、可動側接触部３ａが固定側接触部４ａに当接し、この固定側接触部４ａが可動側接触部３ａの着座部となっている。この当接時、つまり、弾性変形されている可動接片３が復帰して、可動側接触部３ａが固定側接触部４ａに当接するときには、この可動側接触部３ａが図中二点鎖線に示す位置から実線に示す位置まで距離Ｌ１だけ固定側接触部４ａ上を摺動する。これにより、可動側接触部３ａの固定側接触部４ａに対する当接部位Ａが、その距離Ｌ１だけ固定側接触部４ａ上を摺動することにより、ＩＣリードとの接触により可動側接触部３ａに付着した半田が除去されることとなる。これは、固定側接触部４ａの面粗さを調整することにより効果を向上させることができる。
【０００７】
【発明が解決しようとする課題】
しかしながら、このような従来のものにあっては、可動側接触部３ａの固定側接触部４ａに対する当接部位Ａは線接触で、且つ、固定側接触部４ａの上面は平面であるため、この可動側接触部３ａが固定側接触部４ａ上を摺動しても、その当接部位Ａのみがワイピングされるだけであり、極めて短い範囲のみしかワイピング効果を発揮することができない、という問題がある。
【０００８】
そこで、この発明は、可動側接触部のワイピング幅を長くすることができる電気部品用ソケットを提供することを課題としている。
【０００９】
【課題を解決するための手段】
かかる課題を達成するために、請求項１に記載の発明は、電気部品が載置されるソケット本体と、該ソケット本体に取り付けられたコンタクトピンとを有し、該コンタクトピンには、前記電気部品の端子に離接する可動側接触部を有する可動接片と、前記電気部品の端子に離接する固定側接触部を有する固定接片とが形成された電気部品用ソケットにおいて、前記固定接片における前記固定側接触部には、前記電気部品が載置されていない状態で、前記可動側接触部が着座する着座部が設けられ、該着座部には、略水平に形成された平面部と、該平面部の一部に形成され、前記可動側接触部の摺動方向に沿う略鉛直断面が上方に凸となる曲部とが形成され、該曲部に沿って前記可動側接触部が摺動するように構成され、前記固定側接触部の前記着座部と前記可動側接触部とが接触した状態において、前記着座部の摺動開始位置及び摺動終了位置における前記着座部と前記可動側接触部との接触箇所の高さ方向位置は、前記固定接片の前記平面部の高さ方向位置以上となるように形成したことを特徴とする。
【００１０】
請求項２に記載の発明は、請求項１に記載の構成に加え、前記コンタクトピンは、前記電気部品の端子の上面に離接する可動側接触部を有する前記可動接片と、前記端子の下面に接触する固定側接触部を有する固定接片とを備え、前記固定側接触部の上面部が前記着座部であることを特徴とする。
【００１３】
請求項３に記載の発明は、請求項１又は２に記載の構成に加え、前記曲部は、前記可動側接触部の摺動方向に沿う略鉛直断面が略円弧形状を呈していることを特徴とする。
【００１４】
請求項４に記載の発明は、請求項１又は２に記載の構成に加え、前記曲部は、前記可動側接触部の摺動方向に沿う略鉛直断面が略三角形状を呈していることを特徴とする。
【００１５】
【発明の実施の形態】
以下、この発明の実施の形態について説明する。
【００１６】
図１乃至図５には、この発明の実施の形態を示す。
【００１７】
まず構成を説明すると、図中符号１１は、「電気部品用ソケット」としてのＩＣソケットで、このＩＣソケット１１は、「電気部品」であるＩＣパッケージ１２の性能試験を行うために、このＩＣパッケージ１２の「端子」としてのＩＣリード１２ｂと、測定器（テスター）のプリント配線板（図示省略）との電気的接続を図るものである。
【００１８】
このＩＣパッケージ１２は、図３に示すように、いわゆるガルウイングタイプと称されるもので、長方形状のパッケージ本体１２ａの対向する２辺から側方に向けて多数のＩＣリード１２ｂがクランク状に突出している。
【００１９】
一方、ＩＣソケット１１は、大略すると、プリント配線板上に装着されるソケット本体１３を有し、このソケット本体１３には、ＩＣパッケージ１２が載置される載置部１３ａが形成されると共に、ＩＣパッケージ１２を所定の位置に位置決めするガイド部１３ｂがパッケージ本体１２ａの各角部に対応して設けられている。また、各ガイド部１３ｂの間で、載置部１３ａの周囲の対向する２辺には隔壁部１３ｃが形成され、この隔壁部１３ｃには多数のスリット１３ｄが所定の間隔で形成されている。
【００２０】
また、このソケット本体１３には、ＩＣリード１２ｂに離接される弾性変形可能なコンタクトピン１５が複数配設されると共に、これらコンタクトピン１５を弾性変形させる四角形の枠状の上部操作部材１６が上下動自在に配設されている。  そのコンタクトピン１５は、図３等に示すように、バネ性を有し、導電性に優れた材質で形成され、ソケット本体１３の載置部１３ａの外側位置に圧入されて配設されている。
【００２１】
詳しくは、コンタクトピン１５は、下部側に前記ソケット本体１３に固定される固定部１５ａが形成され、この固定部１５ａがソケット本体１３の開口部１３ｅに圧入固定されている。そして、この固定部１５ａから固定接片１５ｂ及び可動接片１５ｃが上方に向けて突設されている。
【００２２】
この固定接片１５ｂは、上端部に前記ＩＣリード１２ｂの下面に当接する固定側接触部１５ｄが形成されている。
【００２３】
また、可動接片１５ｃは、円弧状に湾曲するバネ部１５ｅが形成され、このバネ部１５ｅの上側に略水平にソケット本体１３中央部側に向けて延びる水平部１５ｆが形成され、この水平部１５ｆから斜め上方に延びる傾斜部１５ｇが形成され、更に、この傾斜部１５ｇの上端部からソケット本体１３中央部側に向けて水平に可動側接触部１５ｈが延設されている。この可動側接触部１５ｈが前記ＩＣリード１２ｂ上面に当接してこれを下方に押圧することにより、前記固定接片１５ｂの固定側接触部１５ｄとでＩＣリード１２ｂが挟持されるように構成されている。さらに、このコンタクトピン１５には、詳細を後述する上部操作部材１６により押圧される操作片１５ｉが前記水平部１５ｆと分岐して上方に延設されている。しかも、前記固定部１５ａの下側には、図示省略のプリント配線板に接続されるリード部１５ｊが形成されている。
【００２４】
さらに、その固定側接触部１５ｄは、前記ＩＣパッケージ１２が載置されていない状態で、前記可動側接触部１５ｈが着座する「着座部」であり、この「着座部」としての固定側接触部１５ｄには、図１に示すように、「曲部」としての凸部１５ｋが形成され、この凸部１５ｋは、前記可動側接触部１５ｈが摺動するように構成され、この可動側接触部１５ｈの摺動方向に沿う略鉛直断面が略円弧形状を呈している。
【００２５】
一方、前記上部操作部材１６は、図３乃至図５等に示すように、ＩＣパッケージ１２の形状に対応して長方形の枠形状を呈し、ＩＣパッケージ１２が挿入可能な大きさの開口１６ａ（ＩＣソケットの間口）を有し、この開口１６ａを介してＩＣパッケージ１２が挿入されて、ソケット本体１３の載置部１３ａの上側に載置されるようになっている。この上部操作部材１６は、ソケット本体１３に対して上下動自在に配設され、コイルスプリング１７により上方に付勢されると共に、最上昇位置で、係止爪１６ｂがソケット本体１３の被係止部１３ｇに係止され、上部操作部材１６の外れが防止されるようになっている。
【００２６】
さらにまた、この上部操作部材１６には、前記コンタクトピン１５の操作片１５ｉに摺接するカム部１６ｃが形成され、この上部操作部材１６を下降させることにより、そのコンタクトピン１５の操作片１５ｉがそのカム部１６ｃに押圧されて、バネ部１５ｅが弾性変形され、可動側接触部１５ｈが斜め上方外側に向けて変位されるようになっている。
【００２７】
次に、かかる構成のＩＣソケット１１の使用方法について説明する。
【００２８】
まず、予め、ＩＣソケット１１のコンタクトピン１５のリード部１５ｊをプリント配線板の挿通孔に挿入して半田付けすることにより、プリント配線板上に複数のＩＣソケット１１を配設しておく。
【００２９】
そして、かかるＩＣソケット１１にＩＣパッケージ１２を例えば自動機により以下のようにセットして電気的に接続する。
【００３０】
すなわち、自動機により、ＩＣパッケージ１２を保持した状態で、上部操作部材１６をコンタクトピン１５の付勢力に抗して下方に押圧して下降させる。すると、この上部操作部材１６のカム部１６ｃにより、コンタクトピン操作片１５ｉが押圧されて、バネ部１５ｅが弾性変形され、可動側接触部１５ｈが斜め上方に変位されて最大限に開かれ、ＩＣパッケージ１２挿入範囲から退避される（図３中二点鎖線参照）。この状態で、自動機からＩＣパッケージ１２を開放し、ソケット本体１３の載置部１３ａ上に載置し、ＩＣパッケージ１２のＩＣリード１２ｂがコンタクトピン１５の固定側接触部１５ｄ上に載置される。
【００３１】
次いで、自動機による上部操作部材１６の押圧力を解除すると、この上部操作部材１６がコンタクトピン１５の可動接片１５ｃのバネ部１５ｅ及びコイルスプリング１７の弾性力等により上昇し、バネ部１５ｅの弾性力により、コンタクトピン１５の可動側接触部１５ｈが戻り始める。そして、この上部操作部材１６が所定位置まで上昇した時点で、コンタクトピン１５の可動側接触部１５ｈが、位置決めされたＩＣパッケージ１２の所定のＩＣリード１２ｂの上面に当接して電気的に接続されることとなる。
【００３２】
このように可動側接触部１５ｈがＩＣリード１２ｂに当接することにより、このＩＣリード１２ｂの半田が可動側接触部１５ｈに転移して付着するが、以下のようにワイピングされることにより半田が除去されることとなる。
【００３３】
すなわち、ＩＣパッケージ１２がソケット本体１３の載置部１３ａ上に載置されていない状態で、上部操作部材１６が下降されて可動側接触部１５ｈが開いた位置から、上部操作部材１６が上昇されて可動側接触部１５ｈが固定側接触部１５ｄに当接する場合には、可動側接触部１５ｈは、バネ部１５ｅにより円弧運動をすることから、図１及び図２に示すように、固定側接触部１５ｄの凸部１５ｋ上を摺動する。このように凸部１５ｋを摺動することにより、可動側接触部１５ｈのワイピング幅Ｌ２を従来の場合より長くすることができる。つまり、図２に示すように、可動側接触部１５ｈが凸部１５ｋに当接した時点（二点鎖線に示す位置）では、可動側接触部１５ｈの部位Ｂで凸部１５ｋに当接し、次いで、可動側接触部１５ｈが凸部１５ｋを所定量摺動した時点（実線に示す位置）では、可動側接触部１５ｈの部位Ｃで凸部１５ｋに当接することとなる。従って、可動側接触部１５ｈのワイピング幅Ｌ２は、部位Ｂから部位Ｃまでの長さとなり、従来よりも長くすることができ、長い範囲で半田の付着物を除去できる。
【００３４】
また、「曲部」を凸部１５ｋとすると、可動側接触部１５ｈが凸部１５ｋを乗り越えるときに接触圧を大きくできるため、ワイピング効果を一層向上させることができる。
【００３５】
なお、この凸部１５ｋの形状は、上記のような円弧形状に限らず、図６に示すように三角形状の山形とすることもできる。このようにすれば、山形のエッジ部１５ｍにより、ワイピング効果を一層向上させることができる。
【００３６】
［参考例１］
図７及び図８には、参考例１として、この発明に関連する実施の形態を示す。
【００３７】
上記実施の形態では、「曲部」が凸部１５ｋであるが、この参考例１では、円弧形状の凹部１５ｎである。
【００３８】
このようなものにあっては、図８に示すように、可動側接触部１５ｈの部位Ｂが、まず、凹部１５ｎに接触し、この可動側接触部１５ｈが図中右側に移動することにより、可動側接触部１５ｈの部位Ｃが凹部１５ｎに接触することとなる。
【００３９】
従って、可動側接触部１５ｈは、部位Ｂから部位Ｃまでの長い距離（ワイピング幅Ｌ２）において、半田を除去することができる。
【００４０】
また、この凹部１５ｎ内に可動側接触部１５ｈが入り込むことにより、この可動側接触部１５ｈのソケット本体１３の内方への移動を防止できるため、可動接片１５ｃに外側から内側に向けて外力が作用した場合でも、可動接片１５ｃの内側への倒れ込みを防止することができる。
【００４１】
他の構成及び作用は上記実施の形態と同様であるので説明を省略する。
【００４２】
なお、この凹部１５ｎの形状は、上記のような円弧形状に限らず、図９に示すように三角形状とすることもできる。
【００４３】
［参考例２］
図１０には、参考例２として、この発明に関連する実施の形態を示す。
【００４４】
上記実施の形態及び参考例１は、コンタクトピン１５が固定接片１５ｂと可動接片１５ｃを有するいわゆる２点接触式のものであったが、この参考例２では、固定接片１５ｂが形成されておらず、可動接片１５ｃのみのいわゆる１点接触式のものである。
【００４５】
従って、ここでは、可動側接触部１５ｈの「着座部」は、ソケット本体１３の載置部１３ａであり、この載置部１３ａに「曲部」としての円弧形状の凸部１３ｆが形成されている。
【００４６】
このようにしても、その凸部１３ｆを可動側接触部１５ｈが摺動することにより、実施の形態１と同様にワイピング幅Ｌ２を長くすることができる。勿論、凸部１３ｆの形状は三角形の山形にすることもでき、又、円弧形状や三角形状の凹部とすることもできる。
【００４７】
他の構成及び作用は上記実施の形態と同様であるので説明を省略する。
【００４８】
なお、上記実施の形態では、「電気部品用ソケット」としてＩＣソケット１１に、この発明を適用したが、これに限らず、他の装置にも適用できることは勿論である。また、ＩＣパッケージは、相対向する２辺から側方に向けてＩＣリードが突出されるものに適用したが、ＩＣパッケージ本体の４辺からＩＣリードが突出しているＩＣパッケージにも適用できる。さらに、ＩＣリード１２ｂ（端子）の形状は、いわゆるガルウイングタイプに限らず、ストレートタイプ等にも適用できることは言うまでもない。
【００４９】
【発明の効果】
以上説明してきたように、各請求項に記載の発明によれば、可動側接触部が着座する着座部に、曲部を形成し、該曲部に沿って前記可動側接触部が摺動するように構成したため、可動側接触部のワイピング幅を長くすることができ、長い距離に渡って半田の付着を除去することができる。
【００５０】
請求項２に記載の発明によれば、上記効果に加え、固定側接触部の上面部に曲部を形成することにより、金属同士の摺動により可動側接触部のワイピングを行うことができる。
【００５２】
請求項１に記載の発明によれば、曲部を凸部とすると、可動側接触部が凸部を乗り越えるときに接触圧を大きくできるため、ワイピング効果を一層向上させることができる。
【００５３】
請求項３に記載の発明によれば、曲部は、可動側接触部の摺動方向に沿う略鉛直断面が略円弧形状を呈しているため、摺動抵抗の変化が少なく、滑らかにワイピングを行うことができる。
【００５４】
請求項４に記載の発明によれば、曲部は可動側接触部の摺動方向に沿う略鉛直断面が略三角形状を呈しているため、三角形状の頂点のエッジ部により、ワイピング効果を向上させることができる、という実用上有益な効果を発揮する。
【図面の簡単な説明】
【図１】この発明の実施の形態に係るＩＣソケットの要部拡大図である。
【図２】同実施の形態に係る図１のＸ部拡大図である。
【図３】同実施の形態に係るＩＣソケットの半断面図である。
【図４】同実施の形態に係るＩＣソケットの平面図である。
【図５】同実施の形態に係るＩＣソケットの半断面図である。
【図６】この発明の実施の形態の変形例を示す固定側接触部等を示す図である。
【図７】この発明の参考例１に係る図１に相当する要部拡大図である。
【図８】同参考例１に係る拡大図である。
【図９】この発明の参考例１の変形例を示す図６に相当する図である。
【図１０】この発明の参考例２にかかる図１に相当する図である。
【図１１】従来例を示す図１に相当する図である。
【符号の説明】
11 ＩＣソケット（電気部品用ソケット）
12 ＩＣパッケージ（電気部品）
12a パッケージ本体
12b ＩＣリード（端子）
13 ソケット本体
13a 載置部（着座部）
13b ガイド部
13c 隔壁部
13f 凸部（曲部）
15 コンタクトピン
15b 固定接片
15c 可動接片
15d 固定側接触部（着座部）
15e バネ部
15h 可動側接触部
15i 操作片
15k 凸部（曲部）
15n 凹部（曲部）
16 上部操作部材
16c カム部
【図１】
0004230036.tif 000002
【図２】
0004230036.tif 000003
【図３】
0004230036.tif 000004
【図４】
0004230036.tif 000005
【図５】
0004230036.tif 000006
【図６】
0004230036.tif 000007
【図７】
0004230036.tif 000008
【図８】
0004230036.tif 000009
【図９】
0004230036.tif 000010
【図１０】
0004230036.tif 000011
【図１１】
0004230036.tif 000012